【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
紙葉類を鑑別する鑑別部を具備する紙葉類鑑別装置であって、
他の装置が前記紙葉類を鑑別した際に得られた特定情報を記憶する記憶部と、
前記特定情報に応じて、前記鑑別部が当該紙葉類を真であると判定する条件を緩和可能な条件緩和部と
を具備する紙葉類鑑別装置。
【請求項２】
紙葉類の表面に記載され前記紙葉類を一意に特定する特定記号を読取る読取部と、
前記紙葉類を鑑別する鑑別部と、
前記鑑別部が前記紙葉類を鑑別した際に得られた特定情報と当該紙葉類の前記特定記号とが互いに対応付けられた前工程データを生成する生成部と
を具備する紙葉類鑑別装置。
【請求項３】
第１紙葉類鑑別装置と、第２紙葉類鑑別装置とを備える紙葉類鑑別システムであって、
前記第１紙葉類鑑別装置は、
紙葉類の表面に記載され前記紙葉類を一意に特定する特定記号を読み取る第１読取部と、
第１設定値を基準として前記紙葉類の真偽を鑑別する第１鑑別部と、
前記第１鑑別部により真正と鑑別された紙葉類である真正紙葉類を収納する第１収納部と、
を含み、
前記第１鑑別部は、前記真正紙葉類の、前記特定記号と前記第１設定値と前記第１鑑別部による第１鑑別結果とが互いに対応付けられた前工程データを生成し、
前記第２紙葉類鑑別装置は、
前記第１収納部から取り出され投入口に投入された前記紙葉類の表面に記載された前記特定記号を読み取る第２読取部と、
第２設定値を基準として前記紙葉類の真偽を鑑別する第２鑑別部と、
前記第２鑑別部により真正と鑑別された前記紙葉類を収納する第２収納部と、
前記前工程データを取得する第１取得部と、
を含み、
前記第２鑑別部は、
前記第２設定値を基準として前記紙葉類が偽である偽紙葉類と鑑別すると、前記偽紙葉類の前記特定記号に対応付けられた前記第１設定値及び前記第１鑑別結果を前記前工程データから抽出し、
抽出した前記第１設定値及び前記第１鑑別結果に基づき前記第２設定値を緩和するか否かを決定し、
前記第２設定値を緩和すると、緩和された前記第２設定値を基準として前記偽紙葉類の真偽を鑑別する、
紙葉類鑑別システム。
【請求項４】
前記第２鑑別部は、前記第１設定値と前記紙葉類から得られる第１検出信号とのレベル差、又は前記レベル差を前記第１設定値で除算した商が、第１閾値未満であるときに、前記第２設定値を緩和すると決定する、
請求項３に記載の紙葉類鑑別システム。
【請求項５】
前記第２鑑別部は、前記第２設定値を基準として前記紙葉類が偽である偽紙葉類と鑑別すると、前記第１設定値及び前記第１鑑別結果に加えて、前記第２設定値及び前記第２設定値を基準とする第２鑑別結果に基づき、前記第２設定値を緩和するか否かを決定する、
請求項３に記載の紙葉類鑑別システム。
【請求項６】
前記第２鑑別部は、前記第１設定値と前記紙葉類から得られる第１検出信号との第１レベル差、又は前記第１レベル差を前記第１設定値で除算した商が、第１閾値未満であり、かつ、前記第２設定値と前記紙葉類から得られる第２検出信号との第２レベル差、又は前記第２レベル差を前記第２設定値で除算した商が、第２閾値未満であるときに、前記第２設定値を緩和すると決定する、
請求項５に記載の紙葉類鑑別システム。
【請求項７】
前記第１設定値と前記第２設定値とは、同じ値である、
請求項３〜６のいずれか１項に記載の紙葉類鑑別システム。
【請求項８】
前記第１設定値と前記第２設定値とは、異なる値である、
請求項３〜６のいずれか１項に記載の紙葉類鑑別システム。
【請求項９】
第３紙葉類鑑別装置を更に備え、
前記第３紙葉類鑑別装置は、
前記第２収納部から取り出され投入口に投入された前記紙葉類の表面に記載された前記特定記号を読み取る第３読取部と、
第３設定値を基準として前記紙葉類の真偽を鑑別する第３鑑別部と、
前記第３鑑別部により真正と鑑別された前記紙葉類を収納する第３収納部と、
前記前工程データを取得する第２取得部と、
を含み、
前記第３鑑別部は、
前記第３設定値を基準として前記紙葉類が偽である偽紙葉類と鑑別すると、前記偽紙葉類の前記特定記号に対応付けられた前記第１設定値及び前記第１鑑別結果を前記前工程データから抽出し、
抽出した前記第１設定値及び前記第１鑑別結果に基づき前記第３設定値を緩和するか否かを決定し、
前記第３設定値を緩和すると、緩和された前記第３設定値を基準として前記偽紙葉類の真偽を鑑別する、
請求項３〜８のいずれか１項に記載の紙葉類鑑別システム。
【請求項１０】
前記第１紙葉類鑑別装置及び前記第２紙葉類鑑別装置と通信可能に構成された鑑別デー
タ管理装置を更に備え、
前記第１紙葉類鑑別装置は、前記工程データを前記鑑別データ管理装置に送信する第１
通信部を更に含み、
前記鑑別データ管理装置は、
前記第１紙葉類鑑別装置の前記第１通信部から送信された前記前工程データを受信する
管理通信部と、
前記管理通信部により受信された前記前工程データを記憶する管理記憶部と、
を含み、
前記管理通信部は、前記管理記憶部に記憶された前記前工程データを前記第２紙葉類鑑
別装置に送信し、
前記第１取得部は、前記管理通信部により送信された前記前工程データを受信する、
請求項３〜９のいずれか１項に記載の紙葉類鑑別システム。
【請求項１１】
前記第１紙葉類鑑別装置は、通信可能に構成された持ち運び可能メモリに前記前工程デ
ータを保存する第１通信部を更に含み、
前記第１取得部は、前記前工程データが保存された前記持ち運び可能メモリから前記前
工程データを取得する、
請求項３〜９のいずれか１項に記載の紙葉類鑑別システム。
【手続補正２】
【補正対象書類名】明細書
【補正対象項目名】発明の名称
【補正方法】変更
【補正の内容】
【発明の名称】紙葉類鑑別装置、及び紙葉類鑑別システム
【手続補正３】
【補正対象書類名】明細書
【補正対象項目名】０００５
【補正方法】変更
【補正の内容】
【０００５】
本発明は、上記問題を解決するもので、装置から装置に紙葉類を移送する場合に、同じ紙葉類に対する識別結果が異なるような事態を可能な限り避けることができる紙葉類鑑別装置を提供することを目的とする。
【手続補正４】
【補正対象書類名】明細書
【補正対象項目名】０００６
【補正方法】変更
【補正の内容】
【０００６】
本発明の一態様は、
紙葉類を鑑別する鑑別部を具備する紙葉類鑑別装置であって、
他の装置が前記紙葉類を鑑別した際に得られた特定情報を記憶する記憶部と、
前記特定情報に応じて、前記鑑別部が当該紙葉類を真であると判定する条件を緩和可能な条件緩和部とを具備する。
以上の態様では、同じ紙葉類に対する識別結果が各装置で異なるような事態を可能な限り避けることができる。
また、本発明を採用した紙葉類鑑別システムは、
第１紙葉類鑑別装置と、第２紙葉類鑑別装置とを備える紙葉類鑑別システムであって、
前記第１紙葉類鑑別装置は、
紙葉類の表面に記載され前記紙葉類を一意に特定する特定記号を読み取る第１読取部と、
第１設定値を基準として前記紙葉類の真偽を鑑別する第１鑑別部と、
前記第１鑑別部により真正と鑑別された紙葉類である真正紙葉類を収納する第１収納部と、
を含み、
前記第１鑑別部は、前記真正紙葉類の、前記特定記号と前記第１設定値と前記第１鑑別部による第１鑑別結果とが互いに対応付けられた前工程データを生成し、
前記第２紙葉類鑑別装置は、
前記第１収納部から取り出され投入口に投入された前記紙葉類の表面に記載された前記特定記号を読み取る第２読取部と、
第２設定値を基準として前記紙葉類の真偽を鑑別する第２鑑別部と、
前記第２鑑別部により真正と鑑別された前記紙葉類を収納する第２収納部と、
前記前工程データを取得する第１取得部と、
を含み、
前記第２鑑別部は、
前記第２設定値を基準として前記紙葉類が偽である偽紙葉類と鑑別すると、前記偽紙葉類の前記特定記号に対応付けられた前記第１設定値及び前記第１鑑別結果を前記前工程データから抽出し、
抽出した前記第１設定値及び前記第１鑑別結果に基づき前記第２設定値を緩和するか否かを決定し、
前記第２設定値を緩和すると、緩和された前記第２設定値を基準として前記偽紙葉類の
真偽を鑑別するものである。
【手続補正５】
【補正対象書類名】明細書
【補正対象項目名】００２４
【補正方法】変更
【補正の内容】
【００２４】
本発明によれば、同じ紙葉類に対する識別結果が各装置で異なるような事態を可能な限り避けることができる。
【手続補正６】
【補正対象書類名】明細書
【補正対象項目名】０１０１
【補正方法】変更
【補正の内容】
【０１０１】
（効果）
以上説明されたように、本実施形態の紙葉類鑑別装置（計数機３００）は、紙葉類を鑑別する鑑別部（ＵＶセンサ３１１、磁気センサ３１２、可視光センサ３１４及び真偽識別部３６２）を具備し、他の装置（入金機１００）が紙葉類を鑑別した際に得られた特定情報（識別余裕値ＭＧ）を記憶する記憶部（メモリ３２０）と、特定情報に応じて、当該紙葉類を真であると判定する条件を緩和可能な条件緩和部（真偽識別部３６２）とを具備する。また、本実施形態の紙葉類鑑別装置（入金機１００）は、紙葉類の表面に記載され前記紙葉類を一意に特定する特定記号を読取る読取部（カメラ１１３及び読取制御部１６）と、紙葉類を鑑別する鑑別部（ＵＶセンサ１１１、磁気センサ１１２、可視光センサ１１４及び真偽識別部１６２）と、紙葉類を鑑別した際に得られた特定情報（識別余裕値ＭＧ）と当該紙葉類の特定記号とが互いに対応付けられた前工程データを生成する生成部（真偽識別部１６２）とを具備する。計数機３００において紙幣が偽と鑑別されたときに、計数機３００は、その記番号１９２の紙幣が入金機１００において真正と鑑別されたときの識別設定値ＴＨ１、識別余裕値ＭＧ１を取得可能に構成されている。そして、識別余裕値／識別設定値が所定値未満のときに、識別設定値ＴＨ１を８０％の識別設定値ＴＨ２に緩和している。したがって、本実施形態によれば、入金機１００と計数機３００とにおいて、同じ紙幣１９０に対する真偽の鑑別結果が異なるような事態を可能な限り避けることができる。